(57)【要約】【課題】落下などの外部から衝撃を受けても、装着したメモリカードのロック状態が解除されにくいメモリカードコネクタを提供すること。【解決手段】ハウジングと、ハウジングを上方から覆うシールドカバーと、メモリカードの挿入方向でスライド移動自在に配設され、メモリカードとともに移動するスライダーと、スライダーを抜脱方向へ付勢する付勢部材と、ハウジング及びスライダーのいずれか一方に形成されたハートカムとハートカムの周囲のハートカム溝部と、ロックピンと、ロックピンを前記ハートカム溝部に摺動可能に押圧する押圧部材とを有する。シールドカバーにおいてロック位置に対向する位置で、ロック位置に向かって突出する規制部によって、ロック位置に位置するロックピンの摺動端部の上方への移動を規制する。【選択図】図８
2017120719.tif 000002
【特許請求の範囲】
【請求項１】
挿入口を介して挿入されるメモリカードを収容して前記メモリカードの電極に接続する端子を備えるハウジングと、
前記挿入口を開口させて前記ハウジングを上方から覆うシールドカバーと、
前記ハウジング内に前記メモリカードの挿入方向でスライド移動自在に配設され、前記メモリカードとともに移動するスライダーと、
前記スライダーを前記挿入方向とは逆向きの抜脱方向へ付勢する付勢部材と、
前記ハウジング及びスライダーのいずれか一方に形成されたハートカムと、
前記ハートカムの周囲に配置されるループ状のハートカム溝部と、
一端に前記ハートカム溝部に摺動自在に挿入された摺動端部を有し、他端に前記ハウジング及びスライダーのいずれか他方に回動可能に設けられるロックピンと、
当該シールドカバーの一部を下方に折り曲げて形成され、前記ロックピンを前記ハートカム溝部に摺動可能に押圧する押圧部材と、
を有し、
前記ハートカムは、前記挿入方向或いは抜脱方向の一方の端部に前記摺動端部が掛合する掛合凹部を有し、
挿入される前記メモリカードにより押圧されて移動する前記スライダーの移動に伴い、前記摺動端部が前記掛合凹部に掛合する位置に移動して、前記スライダーが、前記付勢部材の付勢力に抗して前記メモリカードの装着状態を保持するロック位置で保持され、再度の前記メモリカードの挿入方向へ移動により前記摺動端部が前記掛合凹部から離脱して前記スライダーが前記挿入口側に移動してロック解除位置に位置するメモリカードコネクタであって、
前記シールドカバーは、前記ロックピンのロック位置に対向する位置で、前記ロック位置に向かって突出して形成され、ロック位置に位置する前記摺動端部の上方への移動を規制する規制凸部を有する、
ことを特徴とするメモリカードコネクタ。
【請求項２】
前記規制凸部において前記ロック位置側の面は、湾曲面である、
請求項１記載のメモリカードコネクタ。
【請求項３】
前記規制凸部は、弾性変形可能な弾性材で形成される、
請求項１または２に記載のメモリカードコネクタ。
【請求項４】
前記規制凸部は、前記シールドカバーから互いに向かい合う方向で、且つ、前記ロック位置側に突出する一対のアーム部と、当該アーム部の双方に接続された凸部とを有する、
請求項１から３のいずれか一項に記載のメモリカードコネクタ。
【請求項５】
前記規制凸部は、前記シールドカバーから前記ロック位置側に突出するアーム部と、アーム部に設けられた凸部とを有する、
請求項１から３のいずれか一項に記載のメモリカードコネクタ。
【請求項６】
前記規制凸部は、前記シールドカバーの前記ロック位置側の面を、当該ロック位置側に突出するように凸状に窪ませてなる凸状体である、
請求項１から３のいずれか一項に記載のメモリカードコネクタ。
【発明の詳細な説明】
【技術分野】
【０００１】
本発明は、挿入されるメモリカードを保持して、メモリカードの端子に電気的に接続されるプッシュインプッシュアウト式のメモリカードコネクタに関する。
【背景技術】
【０００２】
従来、カメラ機能付き携帯電話或いはデジタルカメラで撮像された画像データを記憶する記録媒体、携帯型音楽再生機で再生される音楽デジタルデータを記憶する記録媒体、或いは、作成した文章データを記憶する記憶媒体として、カード型のメモリカードが知られている。
【０００３】
メモリカードは、一般的に、外観が矩形薄板形状に形成された小型の樹脂製パッケージの内部に読み書き自在な半導体メモリ（ＲＡＭ）が収容されるともに、パッケージにおける一方の裏面の端部に電気的に接続される複数の電極が並設されてなる。
【０００４】
メモリカードは、デジタルカメラ、デジタルビデオカメラ、携帯型音楽再生機、ノート型パソコン、携帯電話機等に、メモリカードの種類毎の寸法、形状に対応したメモリカードコネクタ（以下、「コネクタ」という）を介して装着される。
【０００５】
メモリカードコネクタとしては、例えば、特許文献１に示すように、プッシュインプッシュアウト式のコネクタが知られている。
【０００６】
一般的に、所謂プッシュインプッシュアウト式のコネクタは、ロック機構によって、メモリカードの挿入時に、メモリカードを挿着位置にロックし、排出時にはロックを解除して挿着位置からメモリカードを排出させる。
【０００７】
このロック機構は、メモリカードの収容部を有するハウジングに設けられたハート形のカム（ハートカム）と、ハートカム周りのスライド溝に一端側が係合され、他端側をスライド部材に回動可能に支持されたロックピンとを備える。メモリカードの挿入に伴ってスライド部材が挿入方向へ移動されることによって、ロックピンの一端部がスライド溝を摺動してロック及びロック解除が行われるものとなっている。このロック機構においては、メモリカードが挿入方向へ移動されると、ハート形のスライド溝内を摺動するロックピンが当該スライド溝に設けられたロック用の凹溝部に係合することにより挿着位置にロックされるものとなる。そして、ロックを解除するには、挿着位置にロックされた状態のメモリカードを、一旦挿入方向へ押圧させることによって、ロックピンはスライド溝の凹溝部から離脱する。すると、スライド部材を排出方向へ付勢しているコイルばねの付勢力によってメモリカードは排出方向へ排出される。
【０００８】
このようなロック機構では、ロックピンが移動時にスライド溝の周囲のスライド溝から抜け出ることのないように、図１に示すカードコネクタ１のように、ハウジング３を覆うシールドカバー４の上板部には、ロックピン（図示省略）の上方に配置され、ロックピンを、スライド溝の底面上に対して摺動可能に押圧する押さえ舌片２が設けられている。押さえ舌片２は、一般的には、特許文献１にも示すように、メモリカードを収容するハウジング３を上方から覆うカバーの一部を下向きに舌片状に切り起こして形成される。
【先行技術文献】
【特許文献】
【０００９】
【特許文献１】特開２０１５−００８０５２号公報
【発明の概要】
【発明が解決しようとする課題】
【００１０】
近年、バイクや自転車の運転中や、スキー、スノーボード、ダイビング、サーフィン等のアウトドアスポーツ中の様子を撮影するアクションカメラや、ウェアラブル機器等が多く開発されている。
【００１１】
これらのアクションカメラやウェアラブル機器にメモリカードを搭載する場合、動く対象を撮像するので、撮像対象に伴い移動した際に落下する等の虞があり、落下しても装着されたメモリカードが外れないように、落下衝撃耐性を考慮する必要がある。
【００１２】
従来のプッシュインプッシュアウト式のコネクタの構造では、ロックピンをロック位置で係合させたロック状態において落下衝撃を受けると、図２に示すように、ロック機構５では、押さえ舌片２の付勢力に抗してロックピン６が跳ね上がる虞がある。これにより、ロックピン６は、ハートカム７周りのスライド溝８から外れたり、ハートカム７に乗り上げたりして、ロック状態が解除、つまりメモリカードの装着状態が解除されるという問題があった。
【００１３】
本発明はかかる点に鑑みてなされたものであり、メモリカードを搭載したアクションカメラ、ウェアラブル機器に搭載されても、落下などの外部から衝撃を受けても、装着したメモリカードのロック状態が解除されにくいメモリカードコネクタを提供することを目的とする。
【課題を解決するための手段】
【００１４】
本発明のメモリカードコネクタの一つの態様は、挿入口を介して挿入されるメモリカードを収容して前記メモリカードの電極に接続する端子を備えるハウジングと、前記挿入口を開口させて前記ハウジングを上方から覆うシールドカバーと、前記ハウジング内に前記メモリカードの挿入方向でスライド移動自在に配設され、前記メモリカードとともに移動するスライダーと、前記スライダーを前記挿入方向とは逆向きの抜脱方向へ付勢する付勢部材と、前記ハウジング及びスライダーのいずれか一方に形成されたハートカムと、前記ハートカムの周囲に配置されるループ状のハートカム溝部と、一端に前記ハートカム溝部に摺動自在に挿入された摺動端部を有し、他端に前記ハウジング及びスライダーのいずれか他方に回動可能に設けられるロックピンと、当該シールドカバーの一部を下方に折り曲げて形成され、前記ロックピンを前記ハートカム溝部に摺動可能に押圧する押圧部材と、
を有し、前記ハートカムは、前記挿入方向或いは抜脱方向の一方の端部に前記摺動端部が掛合する掛合凹部を有し、挿入される前記メモリカードにより押圧されて移動する前記スライダーの移動に伴い、前記摺動端部が前記掛合凹部に掛合する位置に移動して、前記スライダーが、前記付勢部材の付勢力に抗して前記メモリカードの装着状態を保持するロック位置で保持され、再度の前記メモリカードの挿入方向へ移動により前記摺動端部が前記掛合凹部から離脱して前記スライダーが前記挿入口側に移動してロック解除位置に位置するメモリカードコネクタであって、前記シールドカバーは、前記ロックピンのロック位置に対向する位置で、前記ロック位置に向かって突出して形成され、ロック位置に位置する前記摺動端部の上方への移動を規制する規制部を有する構成を採る。
【発明の効果】
【００１５】
本発明によれば、落下などの外部から衝撃を受けても、装着したメモリカードのロック状態が解除されにくいメモリカードコネクタを実現することができる。
【図面の簡単な説明】
【００１６】
【図１】従来のメモリカードコネクタの全体構成を示す斜視図である。
【図２】従来のメモリカードコネクタの備えるロック機構において落下時のロックピンの状態を示す図である。
【図３】本発明に係る一実施の形態のメモリカードコネクタの斜視図である。
【図４】メモリカードを装着したメモリカードコネクタの外観斜視図である。
【図５】シールドカバーを外したメモリカードコネクタの斜視図である。
【図６】メモリカードコネクタのロック機構の要部構成を示す拡大斜視図である。
【図７】図７Ａはハートカム溝部の段差の説明に供する図であり、図７Ｂはハートカムの平面図である。
【図８】メモリカードコネクタの要部構成を示す部分拡大図である。
【図９】図４のＡ―Ａ線矢視部分断面図である。
【図１０】図８のＢ―Ｂ線矢視部分断面図である。
【図１１】移動するロックピンの摺動端部と規制部との位置関係の説明に供する図である。
【図１２】移動するロックピンの摺動端部と規制部との位置関係の説明に供する図である。
【図１３】移動するロックピンの摺動端部と規制部との位置関係の説明に供する図である。
【図１４】移動するロックピンの摺動端部と規制部との位置関係の説明に供する図である。
【図１５】本発明に係る一実施の形態のメモリカードコネクタの変形例１の斜視図である。
【図１６】図１５のＣ−Ｃ線矢視部分断面図である。
【図１７】本発明に係る一実施の形態のメモリカードコネクタの変形例２の斜視図である。
【図１８】図１７のＤ−Ｄ線矢視部分断面図である。
【発明を実施するための形態】
【００１７】
以下、本発明の実施の形態について、図面を参照して詳細に説明する。
【００１８】
図３は、本発明に係る一実施の形態のメモリカードコネクタの斜視図であり、図４は、メモリカードを装着したメモリカードコネクタの外観斜視図である。図５は、メモリカードコネクタのロック機構を示す斜視図であり、図５Ａは、図４に示すメモリカードコネクタにおいてカバーを外した状態を示す図であり、図５Ｂは、図５Ａにおいてロック解除した状態のメモリカードコネクタの斜視図である。また、図６は、メモリカードコネクタのロック機構における要部構成を示す斜視図である。
【００１９】
本実施の形態に係るメモリカードコネクタ１００は、プッシュインプッシュアウト式のコネクタであり、メモリカード２００を受け入れる開口側を前側として、図１の図面奥側の側面を右側面、図面手前側を左側面とし、挿入方向側の端部を後端側と称して説明する。コネクタ側における前方は、カード挿入口側を意味する。なお、これら本実施の形態において、基板対基板コネクタの各部の構成及び動作を説明するために使用される上、下、左、右、前、後等の方向に関わる表現は、絶対的なものでなく相対的なものであり、メモリカードコネクタの各部が図に示される姿勢である場合に適切であるが、その姿勢が変化した場合には姿勢の変化に応じて変更して解釈されるべきものである。
【００２０】
図３及び図４に示すメモリカードコネクタ（以下、「コネクタ」という）１００は、平面視略矩形状の扁平な箱状をなし、内部にカード挿入口から挿入されるメモリカード２００を収容する収容部（カード装着領域）１１１を備える。
【００２１】
なお、本実施の形態におけるメモリカード（以下、「カード」ともいう）２００は、種類ごとに決められた寸法、形状に形成されているため、メモリカードコネクタでは、使用されるメモリカードの寸法、形状に対応しているものとする。メモリカードとしては、例えば、幅２４ｍｍ×長さ３２ｍｍ、厚さ２．１ｍｍのカードであるＳＤカード（登録商標）、ｍｉｎｉＳＤカード（登録商標）、ｍｉｃｒｏＳＤカード（登録商標）等が挙げられる。
【００２２】
図５Ａ及び図５Ｂに示すように、メモリカード２００には、先端部の一側部（メモリカード２００からみてコネクタ１００に対する挿入方向を先端側とした右側部）側に切欠部２１０が形成されている。ここで切欠部２１０は、矩形状のメモリカードの先端部の一側面（右側面）において角部を含み、他側面と平行な１面とこの一面と傾斜して交差する２面とで四角形に切り落としてなる。よって、この切欠部２１０によりメモリカード２００の先端部は、後端部側よりも幅が狭くなっており、メモリカード２００が収容部１１１内に挿入される際に、コネクタ１００のスライダー１６０に当接する。
【００２３】
コネクタ１００は、ハウジング１１０、シールドカバー１２０、コンタクト１３０、ハートカム溝部１４０、スライダー１６０、ロックピン１７０、コイルバネ１８０等を有する。
【００２４】
ハウジング１１０は、絶縁性を有する材料（ここでは、絶縁性の合成樹脂材）で平面視略矩形状に形成され、ハウジング１１０に上方から被さるシールドカバー１２０とともに、挿入口で開口する箱状に形成される。ハウジング１１０は、シールドカバー１２０とともに、収容部１１１の領域と、スライダー１６０の移動領域を含むロック機構部の配置領域とを画成する。
尚、上方とは、図５Ａ及び図５Ｂに示す、メモリカード２００からみてコネクタ１００に対する挿抜方向に直交するハウジング１１０の開放方向であり、後書きする下方とは、前記ハウジング１１０の開放方向と対向する方向とする。
【００２５】
ハウジング１１０は、平面視略矩形状の底面部においてカード挿入方向に沿って延在する両側辺部から両側壁部が起立して形成され、一方の側壁に沿って収容部１１１が形成され、他方の側壁部に沿ってロック機構部の配置領域が形成される。ロック機構部は、メモリカード２００を収容部１１１内で電気的に接続した状態でロック（装着）したり、ロックを解除したりする機構である。ロック機構部は、スライダー１６０、ハートカム溝部１４０、ロックピン１７０、及び押圧部材である押さえ舌片１２２、規制部１９０を有する。
【００２６】
ハウジング１１０の底面部は、図５Ａ、図５Ｂに示すように、収容するカード２００の電極に電気的に接触するコンタクト（カンチレバーコンタクト等）１３０を保持している。具体的には、コンタクト１３０は、図示しないが、ハウジング１１０の底面部のほぼ中央で後端側（奥側）寄りの部分から後側（奥側）に向かって上方に傾斜しつつ収容部内に突出するように複数配設されている。コンタクト１３０は、ここでは、メモリカード２００の底面側でメモリカード２００の端子と接触する板ばね接触子として形成される。コンタクト１３０は、ハウジング１１０の底面部に保持される他の配線などとして機能する導電部材とともに、インサート成形によってハウジング１１０に一体的に形成される。すなわち、コンタクト１３０は、導電性を有する金属板を打ち抜き成形してなるインサート品の一部として形成されている。
【００２７】
また、コネクタ１００においてハウジング１１０には、ロック機構部の配置領域、つまり、収容部１１１の一側方に、メモリカード２００とともに移動するスライダー１６０が、側面部１２０Ｒにより被覆される側壁部に沿って、挿入方向に沿って移動自在に配置される。
【００２８】
スライダー１６０を有するロック機構部は、収容部１１１となる領域の側方（ここでは、収容部１１１に対して側壁部）に挿抜方向に沿って配置されている。
【００２９】
スライダー１６０は、コイルバネ（付勢部材）１８０によって、カード２００の反挿入方向（抜脱方向）側に付勢されている。
【００３０】
スライダー１６０は、挿入されるカード先端部の切欠部２１０に係合される張り出し部１６２と、張り出し部１６２が切欠部２１０に係合した際に、メモリカード２００の爪係止溝２２０に係合するロック爪部１６４とを有する。
【００３１】
なお、スライダー１６０は、コネクタ１００において最もカード挿入口１０２側に移動した際の位置（カード挿入口側位置）にて、先端側のロック爪部１６４をメモリカード２００の爪係止溝２２０（図５参照）に係合させ、カード２００をコネクタ１００に対して挿抜自在に保持する。この保持状態は、ロック解除位置とも称し、ハーフロックという（図５Ｂ参照）。コネクタ本体において最もカード挿入口１０２側に移動した際の位置（カード挿入口側位置）をハーフロック位置とも言う（図５Ａ参照）。なお、スライダー１６０は、周知のスライダーと同様に、ハウジング１１０に対して、ハーフロック位置で、収容部１１１側から離間する方向に揺動可能に設けられている。
【００３２】
図５及び図６に示すように、スライダー１６０にはロックピン１７０の一端部が連結されている。なお、図６に示すスライダー１６０はロック位置に位置した状態、つまり（図５Ａで示す状態）を示している。
【００３３】
コイルバネ１８０は、圧縮コイルばねであり、スライダー１６０とハウジング１１０の後端壁部間に、挿抜方向に沿って延在するように配置されている。
【００３４】
すなわち、スライダー１６０は、挿抜方向に移動自在で、且つ、最も挿入口１０２に近い位置で揺動可能に配置され、コイルバネ１８０により挿入口側に付勢されている。このコイルバネ１８０によって、スライダー１６０は、連結されたロックピン１７０とともに、常に前方（カード挿入口側）に付勢され、最も前側の移動終了位置である挿入口側の位置で、ロック爪部１６４を収容部１１１内に突出させて配置される。
【００３５】
スライダー１６０は、ハートカム溝部１４０を摺動するロックピン１７０の動きに追従して挿抜方向に移動してハーフロック位置とロック位置とに位置する。
【００３６】
スライダー１６０とロックピン１７０は、ハウジング１１０の底面部と、ハウジング１１０を覆うシールドカバー１２０の上板部１２１との間に配置され、水平方向に移動可能となっている。
【００３７】
ロックピン１７０は、図６に示すように、丸棒の両端部を直角に折り曲げることでコ字状に形成されている。ロックピン１７０では、一端部である折り曲げられた先端側の軸状の回動端部１７２が、スライダー１６０の後部に回動自在に挿入し、他端部である基端側（後壁側の端部側）の軸状の摺動端部１７４が、ハートカム溝部１４０の底面に当接させた状態で、ハートカム溝部１４０に挿入されて遊嵌している。すなわち、ロックピン１７０は、ハートカム溝部１４０の従動節となっており、スライダー１６０は、ハートカム溝部１４０に沿って移動するロックピン１７０の移動の軌跡に従動して相対変位する。
【００３８】
また、ロックピン１７０は、ハートカム溝部１４０の底面上を摺動する際には、上方のシールドカバー１２０の押さえ舌片１２２（図３、図８及び図９参照）によって、ハートカム溝部１４０の底面側に圧接されるが、スライダー１６０が常態位置であるハーフロック位置、つまりカード挿入口１０２側の位置にあるときは、下方に圧接されない構成となっている。
【００３９】
ここで、ハートカム溝部１４０について説明する。
【００４０】
図７Ａは、ハートカムの平面図であり、図７Ｂはハートカム溝部１４０の段差の説明に供する図であり、ハートカム溝部１４０の底面における垂直方向の高さ位置を示す図である。
【００４１】
ハートカム溝部１４０は、ハート形のカム（以下、「ハートカム」という）１５０の周囲に沿って形成されている。ハートカム溝部１４０は、ハウジング１１０の底面部１１２（図７Ａ参照）において、一側部側の奥側に配設されており、図５、図６及び図７に示すようにハートカム溝部１４０は、後壁部１１６側で、コイルバネ１８０に隣接する位置に配置される。
【００４２】
図７に示すハートカム溝部１４０の底面には、回動端部１７２をスライダー１６０に回動自在に接続したロックピン１７０の摺動端部１７４（図５及び図６参照）を所定の方向へと案内するように、段階的な複数のスロープ１４０Ｅ、１４０Ｈ、１４０Ｋおよび底面１４０Ａ、１４０Ｄ、１４０Ｆ、１４０Ｇ、１４０Ｉ、１４０Ｊ、１４０Ｌが形成されている。ハートカム溝部１４０の底面は、当接するロックピン１７０の他端部が逆軌跡を描かないように形成される。
【００４３】
ロックピン１７０の摺動端部１７４がハーフロック位置（図５Ｂで示す状態）から出発してハーフロック位置へ復帰するまでの各スロープ１４０Ｅ、１４０Ｈ、１４０Ｋおよび底面１４０Ａ、１４０Ｄ、１４０Ｆ、１４０Ｇ、１４０Ｉ、１４０Ｊ、１４０Ｌ間の高さ関係は、図７Ｂに示すように形成されている。
【００４４】
ハートカム溝部１４０における軌跡の出発点（ハーフロック位置）となる底面１４０Ａは、スライダー１６０の底面と平行な平面となっている。そして、底面１４０Ａは、後端側（ハートカム１５０の側方部分）で底面１４０Ａよりも低い高さの底面１４０Ｄに連続する。
【００４５】
底面１４０Ｄは横方向に屈曲した平面であり、底面１４０Ｄには、底面１４０Ａとの段差部分に連続して、ハートカム１５０のＶ字溝（掛合凹部）１５２に向かって、上り勾配の付いた仰角斜面であるスロープ１４０Ｅが形成されている。
【００４６】
すなわち、ロックピン１７０の摺動端部１７４は、スライダー１６０が最もカード挿入口１０２側に位置する位置（ハーフロック位置）からカード固定位置（カードロック位置）に移動する過程において、底面１４０Ａを通り、底面１４０Ｄに到達した際には、段差のある底面１４０Ａに戻ることができず、底面１４０Ｄを上がって、底面１４０Ｆを過ぎて底面１４０Ｆよりも低い底面１４０Ｇに移動する。
【００４７】
底面１４０Ｇは、ハートカム１５０におけるカード挿入口側に突出する平面視Ｖ字状の内壁により形成されるＶ字溝１５２の位置に形成される。ロックピン１７０の摺動端部１７４は、スライダー１６０がカード挿入口１０２側位置からカード固定位置に移動する過程において、底面１４０Ｇに到達した場合には底面１４０Ｅ、１４０Ｆに戻ることはできない。
【００４８】
摺動端部１７４がＶ字溝１５２の底面１４０Ｇに到達した状態、つまり、ハートカム１５０のＶ字状部分に係合した状態は、カード２００のロック状態又は装着状態である。なお、摺動端部１７４が底面１４０Ａから底面１４０Ｇに到るロックピン１７０の軌跡は往路の軌跡となる。
【００４９】
Ｖ字溝１５２での掛合位置（メモリカードロック位置）である底面１４０Ｇには、底面１４０Ｆに対向する位置に、底面１４０Ｆから離間する方向に向かって、且つ、カード挿入方側に向かって上り勾配の付いた仰角斜面であるスロープ１４０Ｈが連続して形成されている。
【００５０】
スロープ１４０Ｈのカード挿入方向側に接続される底面１４０Ｉには段差が付けられ、底面１４０Ｉよりも低い底面１４０Ｊに連続する。底面１４０Ｊは、ハートカム１５０の側方で、カード挿入方向に沿って配置されており、底面１４０Ｊの挿入方向側の端部は、底面１４０Ｄの挿入方向側の端部と同様にハートカム溝部１４０の最も奥側の部位を形成している。底面１４０Ｊにおいてカード挿入口側の端部は、カード挿入口側に向かって屈曲しつつ、上り勾配の付いた仰角斜面であるスロープ１４０Ｋに連続する。
【００５１】
スローブ１４０Ｋのカード挿入口側の端部には、平面である底面１４０Ｌが連続し、底面１４０Ｌは、底面１４０Ｌよりも低くなるように段差が付けられた底面１４０Ａに接続される。
【００５２】
これにより、ロックピン１７０の摺動端部１７４がＶ字溝１５２に係合した状態、つまり、メモリカード２００のロック状態において、コイルバネ１８０の付勢力に抗して、カード２００をもう一回挿入方向に押す。すると、摺動端部１７４は、コネクタ１００の奥側、つまり後側に更に挿入するとする。これにより、ロックピン１７０の摺動端部１７４は、Ｖ字溝１５２から開放されて底面１４０Ｇからスロープ１４０Ｈを上がり、底面１４０Ｉを過ぎて段差を下りて当該底面１４０Ｉより低い平面の底面１４０Ｊ上に位置するものとなる。すなわち、底面１４０Ｊに到達した摺動端部１７４は、Ｖ字溝１５２との掛合位置である底面１４０Ｇに戻ることはできない。
【００５３】
底面１４０Ｊに到達した摺動端部１７４は、コイルバネ１８０の付勢力によって、底面１４０Ｊをカード挿入口側に向かって摺動し、スロープ１４０Ｋ、底面１４０Ｌを介して底面１４０Ａ上に戻る。
【００５４】
このようにハートカム溝部１４０は、底面上を摺動するロックピン１７０の接触点（摺動端部１７４の先端）がハート状の平面軌跡を描きつつ、高さ方向には部分的に不可逆な軌跡を描くように形成されている。スライダー１６０を介してメモリカード２００をロック状態、非ロック状態であるハーフロック状態にすることができる。
【００５５】
ロックピン１７０は、ハートカム溝部１４０の底面に対して、押さえ舌片１２２（図３参照）により上方から押圧されつつ摺動する。
【００５６】
図８はメモリカードコネクタの要部構成を示す部分拡大図であり、図９は、図４のＡ―Ａ線矢視部分断面図であり、図１０は、図８のＢ―Ｂ線矢視部分断面図である。
【００５７】
図８〜図１０に示すように押さえ舌片１２２は、シールドカバー１２０の一部をコネクタ内側（ハウジング１１０の底面部側）に切り起こして形成されている。
【００５８】
シールドカバー１２０は、板状の導電性を有する材料（ここでは、金属板）を打ち抜き成形し、両側部をＬ字状に折り曲げることにより形成されている。
【００５９】
シールドカバー１２０は、図３及び図８に示すように、ハウジング１１０の底面部（図５Ｂ参照）に対向配置される上板部１２１と、上板部１２１の両側辺からそれぞれ直交するように折曲して形成され互いに平行な両側面部（図３では、側面部１２０Ｒのみ図示）とを有する。シールドカバー１２０は、上板部１２１、両側面部により略正面視コ字状に形成されている。
【００６０】
シールドカバー１２０の側面部１２０Ｒには、図３に示すように、カード挿入口１０２近傍位置において、水平方向揺動自在に位置するスライダー１６０（図５、図９参照）を収容部１１１側に押圧して、ロック爪部１６４を、カード２００の爪係止溝２２０に係合させる爪押圧片１２４が設けられている。
【００６１】
図３、図９及び図１０に示すように、シールドカバー１２０の上板部１２１には、押さえ舌片１２２と、規制部１９０とが形成されている。
【００６２】
押さえ舌片１２２は、ハウジング１１０の底面部１１２のハートカム溝部１４０の形状に対応して、挿入方向の中央部分から後方に延び出るとともに、下方に傾斜して設けられている。
【００６３】
押さえ舌片１２２は、スライダー１６０に連動して移動するロックピン１７０に上方から圧力を加えることにより、摺動端部１７４をハートカム溝部１４０に押し付けて、当該ハートカム溝部１４０の底面上を摺動可能にする。
【００６４】
押さえ舌片１２２は、板バネであり、ロックピン１７０の摺動端部１７４がハートカム溝部１４０の底面から離間しないように、ハートカム溝部１４０に沿って移動するロックピン１７０の軌跡に対応した形状に形成されている。
【００６５】
ここでは、押さえ舌片１２２は、平面視してハートカム溝部１４０の底面１４０Ａ、スロープ１４０Ｋ、底面１４０Ｌといったハートカム１５０よりカード挿入口１０２側のハートカム溝部１４０の配設領域と重なるように配置される。
【００６６】
押さえ舌片１２２の先端部１２２１は、ハートカム１５０に掛合しているロックピン１７０に対して、効率良く付勢力を付与する位置となるように形成されている。ここでは、図９に示すように、押さえ舌片１２２は、先端部１２２１が、摺動端部１７４近傍であり、且つ、ハートカム１５０よりカード挿入口１０２側の位置に位置するように配置される。
【００６７】
押さえ舌片１２２は、図８に示すように、後壁部１１６（図５参照）側に延在する帯状の本体部１２２ａと、本体部１２２ａの自由端に連続して形成され、且つ、後壁部１１６側に向かって拡がる幅広部１２２ｂとを有し、押さえ舌片１２２の先端部１２２１は、幅広部１２２ｂの先端に形成されている。
【００６８】
規制部１９０は、ハートカム１５０のＶ字溝１５２からロックピン１７０が跳ねて抜けることを防止する。図８〜図１０に示すように、上板部１２１から下方に突出して形成されており、底面１４０ＧでＶ字溝１５２に掛合するロックピン１７０から所定間隔開けて配置される。この所定間隔とは、ハートカム溝部１４０の底面上でのロックピン１７０の摺動を妨げない間隔であり、ロックピン１７０の上端から上方に離間する間隔であって、ロックピン１７０の移動領域と重ならない間隔である。規制部１９０は、ロックピン１７０のロック位置に対向する位置で、ロック位置に向かって突出して形成される。
【００６９】
規制部１９０は、底面１４０Ｇでハートカム１５０のＶ字溝１５２に掛合するロックピン１７０の摺動端部１７４側に突出する凸部１９２と、凸部１９２を摺動端部１７４の上方に所定間隔を空けて位置するように当該凸部１９２を支持するアーム部１９４とを有する。
【００７０】
規制部１９０は、弾性変形可能に形成されてもよい。ここでは、規制部１９０は、可撓性を有する金属製のシールドカバー１２０を加工して形成されており、アーム部１９４が弾性変形することで、凸部１９２は変位し、また、凸部１９２も弾性変形可能となっている。
【００７１】
具体的には、アーム部１９４は、幅方向で延在する帯状をなしており、凸部１９２は、帯状のアーム部１９４の中央部分から下方に凸状に突出するように形成されている。すなわち、シールドカバー１２０から互いに向かい合う方向で、且つ、前記ロック位置側に突出する一対のアーム部の双方に接続されている、
【００７２】
凸部１９２は、幅方向でアーム部１９４により支持されるように形成されている。
【００７３】
凸部１９２は、ロックピン１７０がロック位置（Ｖ字溝１５２に係合する底面１４０Ｇ）に位置するときに、ロックピン１７０（詳細には、摺動端部１７４）の上方への移動を規制する。
【００７４】
規制部１９０の内側面、つまり、凸部１９２及びアーム部１９４においてハウジング１１０の底面部１１２と対向する側の面（詳細にはハートカム１５０に対向する面）は、湾曲面となっている。ここでは、規制部１９０は、アーム部１９４、凸部１９２の湾曲面により、Ｖ字溝１５２に係合するロックピン１７０の軌跡に沿う形状となっている。
【００７５】
図１１〜図１４は、移動するロックピン１７０の摺動端部１７４と規制部１９０との位置関係の説明に供する図であり、図１１は、図１０に対応するロックピン１７０とハートカム１５０との位置関係を示すハートカム機構部の要部平面図である。また、図１２Ａ、図１３Ａ、図１４Ａは、ロックピン１７０とハートカム１５０との位置関係を示すハートカム機構部の要部平面図であり、図１２Ｂ、図１３Ｂ、図１４Ｂは、図１０に示す断面図において、各図Ａに対応するハートカムと規制部との位置関係を示す要部縦断面図である。
【００７６】
まず、メモリカード２００を、カード挿入口１０２を介して収容部１１１内に一回押し込んで挿入する。その際に、図１１に示す状態、つまり、メモリカード２００にスライダー１６０が係合してハーフロック状態（図５Ｂ参照）から更にメモリカード２００が奥側に挿入される。すると、メモリカード２００は、スライダー１６０を収容部１１１の後壁部１１６側に押圧し、スライダー１６０はメモリカード２００とともに奥側に移動する。メモリカード２００を押し切ると、スライダー１６０の移動に伴いロックピン１７０の摺動端部１７４は、ハートカム溝部１４０の底面１４０Ａを摺動し、ハートカム溝部１４０の往路の奥側位置である底面１４０Ｄ（図１２Ａ参照）に位置する。このとき、図１２Ｂに示すように、規制部１９０のアーム部１９４−１とハートカム１５０との間にロックピン１７０が位置する。その後、コイルバネ１８０の付勢力により摺動端部１７４は、カード挿入口１０２側に戻るように移動して、摺動端部１７４が底面１４０Ｄから底面１４０Ｅ、１４０Ｆを摺動して、図１３に示すように底面１４０Ｇに移動してＶ字溝１５２に係合する。このとき、スライダー１６０、つまり、メモリカード２００はロック状態となる。このような摺動端部１７４の奥側位置からロック状態までの移動では、ロックピン１７０は、規制部１９０の表面である湾曲面に沿って移動し、ロック状態において、底面１４０Ｇに位置する摺動端部１７４は、凸部１９２の真下で、凸部１９２に対向して配置される。すなわち、規制部１９０の凸部１９２はハートカム１５０のＶ字溝１５２に掛合した摺動端部１７４の上方で近接して位置する。
【００７７】
次いで、メモリカード２００を奥側にもう一度押し込んで押し切ると、ロックピン１７０の摺動端部１７４は。ロック位置である底面１４０Ｇ（図１３）から、スロープ１４０Ｈ、底面１４０Ｉ（図７参照）を摺動して図１４に示す底面１４０Ｊに移動する。すなわち、ロックピン１７０が、ロック状態である掛合状態から外れて押切位置に位置して復路に移動する。このとき、ロックピン１７０は、規制部１９０（凸部１９２、アーム部１９４−２の湾曲面に沿いつつ接触することなく、規制部１９０とハートカム１５０との間を移動して、摺動端部１７４は、底面１４０Ｊに至る。
【００７８】
このようにメモリカードコネクタ１００では、ハウジング１１０は、樹脂製であり、カード挿入口１０２を介して挿入されるメモリカード２００を収容するとともに、収容したメモリカードの電極に接続するコンタクト（端子）１３０を備える。シールドカバー１２０は、カード挿入口１０２を開口させた状態でハウジング１１０を上方から覆う。ハウジング１１０内には、メモリカード２００の挿入方向にスライド移動自在に配設され、メモリカード２００とともに移動するスライダー１６０とを有する。更に、ハウジング１１０内には、スライダー１６０を挿入方向とは逆向きの抜脱方向へ付勢するコイルバネ（付勢部材）１８０と、ハウジング１１０及びスライダー１６０いずれか一方に形成されたハートカム１５０とを有する。更にハウジング１１０内には、ハートカム１５０の周囲に配置されるループ状のハートカム溝部１４０と、一端にハートカム溝部１４０に摺動自在に挿入された摺動端部１７４を有し、他端にハウジング１１０及びスライダー１６０のいずれか他方に回動可能に設けられるロックピン１７０とを有する。また、シールドカバー１２０は、その一部を下方に折り曲げて形成され、ロックピン１７０をハートカム溝部１４０に摺動可能に押圧する押さえ舌片（押圧部材）１２２を有する。ハートカム１５０は、挿入方向或いは抜脱方向の一方の端部に摺動端部１７４が掛合するＶ字溝（掛合凹部）１５２を有する。挿入されるメモリカード１００により押圧されて移動するスライダー１６０の移動に伴い、ロックピン１７０の摺動端部１７４がＶ字溝１５２に掛合する位置に移動する。
【００７９】
これにより、スライダー１６０が、コイルバネ１８０の付勢力に抗してメモリカード２００の装着状態を保持するロック位置で保持される。再度のメモリカード２００の挿入方向へ移動により摺動端部１７４がＶ字溝１５２から離脱してスライダー１６０がカード挿入口１０２側に移動してハーフロック位置（ロック解除位置）に位置する。シールドカバー１２０は、ロックピン１７０のロック位置に対向する位置で、ロック位置に向かって突出して形成され、ロック位置に位置する摺動端部１７４の上方への移動を規制する規制部１９０を有する。なお、規制部１９０においてロック位置側の面は、湾曲面でもよい。また、規制部１９０は、弾性変形可能な弾性材で形成されてもよい。また、規制部１９０は、シールドカバー１２０から互いに向かい合う方向で、且つ、ロック位置側に突出する一対のアーム部１９４と、当該アーム部１９４の双方に接続された凸部１９２とを有してもよい。
【００８０】
規制部１９０は、ロックピン１７０の摺動端部１７４がハートカム１５０の近傍、特に、ハートカム１５０のＶ字溝１５２との掛合位置に位置する場合に、摺動端部１７４の上方若しくは摺動端部１７４とロックピン本体と折曲部分近傍の上方に位置する。
【００８１】
言い換えれば、規制部１９０は、ロックピン１７０に対し、押さえ舌片１２２により押圧された部位より摺動端部１７４側（ハウジング１１０の奥側）の部位の上方に近接配置される。
【００８２】
この構成によれば、ロックピン１７０がハートカム１５０に掛合した状態、つまり、メモリカード２００をロックして装着した状態のメモリカードコネクタ１００において、落下の衝撃等を受ける等の外的負荷が掛かる。これにより、ロック状態において、常時コイルバネ１８０により付勢されたスライダー１６０、ロックピン１７０は、付勢方向に移動しようとする。スライダー１６０は、ハウジング１１０及びシールドカバー１２０内で抜脱方向に沿って移動しようとする。ハートカム溝部１４０の底面１４０Ｇに位置するロックピン１７０の摺動端部１７４は、コイルバネ１８０によって常時カード挿入口１０２側に付勢されているスライダー１６０を介して、ハートカム１５０を乗りこえる方向に移動しようとする。つまり、ロックピン１７０の摺動端部１７４は、Ｖ字溝に掛合する位置である底面１４０Ｇから跳ね上がり、Ｖ字溝から外れて上方に移動しようとして、押さえ舌片１２２を外方（図面では上方）に変形するように付勢しようとする。
【００８３】
しかしながら、Ｖ字溝から外れて上方に移動する摺動端部１７４は、摺動端部１７４の上方に位置する規制部１９０により、その跳ね上がりを規制され、Ｖ字溝から外れてハートカム１５０に乗り上がることがない。すなわち、規制部１９０が無く、押さえ舌片１２２のみでハートカム溝部１４０側にロックピン１７０を押圧する構成と異なり、ロックピン１７０の跳ね上がりにより押さえ舌片１２２を変位させてロックピン１７０の摺動端部１７４がハートカム１５０に乗り上がることがない。
【００８４】
よって、メモリカードコネクタ１００を、人体、自転車、車、動物、サーフボード等の可動物に取り付けるアクションカメラに搭載して、撮像した画像や動画を記録する場合において、落下衝撃時等の外的負荷が掛かった場合でも、ロックピン１７０の掛合状態が解放されることがなく、メモリカード２００のロック解除を防止できる。
このように、メモリカードコネクタ１００によれば、メモリカード２００を搭載したアクションカメラ、ウェアラブル機器に適用して、例え、落下する等といった外部から衝撃を受けても、メモリカードのロック状態が解除されにくいメモリカードコネクタを実現できる。
【００８５】
また、規制部１９０の凸部１９２は、ハートカム１５０のＶ字溝に掛合した状態のロックピン１７０の摺動端部１７４の上方にのみ配置されるので、ロックピン１７０はハートカム溝部１４０を円滑に摺動させることができ、つまり、メモリカード２００の挿抜過程において影響を与えることがない。
【００８６】
また、ロックピン１７０が跳ね上がり、規制部１９０に衝突する場合でも、規制部１９０は弾性変形して、衝突力を吸収するので、ロックピン１７０を何ら損傷させることなく、ロック位置であるＶ字溝１５２と掛合する底面１４０Ｇ上に位置させることができる。
【００８７】
また、規制部１９０の突出側の面は湾曲面であるので、跳ね上がるロックピン１７０が規制部１９０に衝突する場合でもロックピン１７０に損傷を与えることがない。
【００８８】
更に、規制部１９０の突出側の面は湾曲面であるので、部品公差、組み立て公差によってロックピン１７０の摺動端部１７４がハートカム溝部１４０上を摺動する際に、設定された軌道よりも上方に変位して移動し、規制部１９０に当接する場合でも、ひっかかることなく好適に移動することができる。
【００８９】
なお、規制部１９０は、Ｖ字溝１５２に掛合する底面１４０Ｇ上、つまり、ロック位置にあるロックピン１７０を、ロック位置から跳ね上がらないようにしてメモリカード２００のロッ解除を防止する構成であれば、どのように形成されてもよい。
【００９０】
＜変形例１＞
図１５は、本発明に係る一実施の形態のメモリカードコネクタの変形例１の斜視図であり、図１６は、図１５のＣ−Ｃ線矢視部分断面図である。
【００９１】
図１５及び図１６に示すメモリカードコネクタ１００Ａは、メモリカードコネクタ１０の変形例１であり、メモリカードコネクタ１００の構成において、シールドカバー１２０を、シールドカバー１２０Ａに取り替えることにより形成される。シールドカバー１２０Ａは、シールドカバー１２０と比較して、規制部１９０Ａの構成のみ異なり、その他の構成は同様の構成を有する。なお、図１５及び図１６に示すメモリカードコネクタ１００Ａは、図３〜図１４に示すメモリカードコネクタ１００と同様の基本的構成を有しており、同一の構成要素には同一の符号を付し、その説明を省略する。
【００９２】
メモリカードコネクタ１００Ａでは、ハウジング１１０を上方から覆うシールドカバー１２０Ａの上板部１２１Ａにおいて、ハートカム１５０と上方で対向する部位を含む部位に規制部１９０Ａが形成されている。なお、ハートカム１５０は、メモリカードコネクタ１００と同様にハウジング１１０においてコイルバネ１８０の配置位置と、収容部１１１との間に配置される。
【００９３】
規制部１９０Ａは、シールドカバー１２０Ａにおいて、ハートカム１５０と上方で対向する部位をハートカム１５０側に突出するよう凸状に窪ませることにより形成された凸状体である。これにより、規制部１９０と同様の作用効果を奏することができる。
【００９４】
＜変形例２＞
図１７は、本発明に係る一実施の形態のメモリカードコネクタの変形例２の斜視図であり、図１８は、図１７のＤ−Ｄ線矢視部分断面図である。
【００９５】
図１７及び図１８に示すメモリカードコネクタ１００Ｂは、メモリカードコネクタ１０の変形例２であり、メモリカードコネクタ１００の構成において、シールドカバー１２０を、シールドカバー１２０Ｂに取り替えることにより形成される。シールドカバー１２０Ｂは、シールドカバー１２０と比較して、規制部１９０Ｂの構成のみ異なり、その他の構成は同様の構成を有する。なお、図１７及び図１８に示すメモリカードコネクタ１００Ｂは、図３〜図１４に示すメモリカードコネクタ１００と同様の基本的構成を有しており、同一の構成要素には同一の符号を付し、その説明を省略する。
【００９６】
メモリカードコネクタ１００Ｂでは、ハウジング１１０を上方から覆うシールドカバー１２０において、凸部１９２を２本のアーム部１９４により両側で支持する構成に替えて、凸部１９２Ｂを、一本のアーム部１９４Ｂによって片持ち式で支持する規制部１９０Ｂを備える。なお、規制部１９０Ｂは、シールドカバー１２０Ｂの上板部１２１Ｂにおいて、ハートカム１５０と上方で対向する部位を含む部位に規制部１９０Ｂが形成されている。また、ハートカム１５０は、メモリカードコネクタ１００と同様にハウジング１１０においてコイルバネ１８０の配置位置と、収容部１１１との間に配置される。
【００９７】
すなわち、規制部１９０Ｂは、シールドカバー１２０Ｂにおいて、ハートカム１５０と上方で対向する部位に、ハートカム１５０側に突出する凸部１９２Ｂが位置するように、凸部１９２Ｂを、上板部１２１Ｂから挿抜方向と交差する方向に延在するアーム部１９４Ｂに設けている。ここでは、凸部１９２Ｂは、アーム部１９４Ｂの自由端に設けている。アーム部１９４Ｂは、金属板等の弾性変形可能な材料により形成されており、凸部１９２Ｂも含めた長さが、押さえ舌片１２２の全長よりも短くなるように形成される。これにより、規制部１９０と同様の作用効果を奏することができる。
特に、凸部１９２Ｂはアーム部１９４Ｂにより片持ちで支持されるので、メモリカードコネクタ１００の規制部１９０と比較して、外部負荷が掛かる場合に大きく弾性変形できる。これにより、メモリカードコネクタ１００Ｂの落下衝撃時に、ロックピン１７０が跳ね上がっても、弾性変形可能な規制部１９０Ｂにより、その衝撃を吸収しつつ、ロックピン１７０の跳ね上がりを規制して、摺動端部１７４のロック位置からの抜けを防止できる。凸部１９２Ｂは、アーム部１９４Ｂの先端でも中央部分でも、どの部位に形成されてもよい。
【００９８】
なお、規制部１９０、１９０Ｂのアーム部１９４、１９４Ｂの延在方向は、アーム部１９４、１９４Ｂに設けられる凸部１９２、１９２Ｂが、掛合位置にあるロックピン１７０の摺動端部１７４の上方、ここでは、ハートカム１５０の上方に位置すれば、どのような方向で形成してもよい。
また、ハートカム溝部１４０は、ハウジング１１０に設けられた構成としたが、スライダー１６０に設け、ロックピン１７０の摺動端部１７４をハートカム溝部１４０内に摺動自在に挿入し、回動端部１７２をハウジング１１０或いはシールドカバー１２０に回動自在に設けてもよい。
【００９９】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【０１００】
本発明に係るメモリカードコネクタは、メモリカード装着時に、落下衝撃等の外部からの衝撃が加わっても、メモリカードのロック状態が解除されることを防止する効果を有し、アクションカメラ、ウェアラブル端末等に搭載されて、メモリカードに撮像した動画、画像を記録させるメモリカードコネクタとして有用である。
【符号の説明】
【０１０１】
１００、１００Ａ、１００Ｂ  メモリカードコネクタ
１０２  カード挿入口
１１０  ハウジング
１１１  収容部
１１２  底面部
１１６  後壁部
１２０、１２０Ａ、１２０Ｂ  シールドカバー
１２０Ｒ  側面部
１２１、１２１Ａ、１２１Ｂ  上板部
１２２  押さえ舌片
１２２１  先端部
１２４  爪押圧片
１３０  コンタクト
１４０  ハートカム溝部
１５０  ハートカム
１５２  Ｖ字溝
１６０  スライダー
１７０  ロックピン
１７２  回動端部
１７４  摺動端部
１８０  コイルバネ
１９０、１９０Ａ、１９０Ｂ  規制部
１９２、１９２Ｂ  凸部
１９４、１９４Ｂ  アーム部
２００  メモリカード
２１０  切欠部
２２０  爪係止溝
【図１】
2017120719.tif 000003
【図２】
2017120719.tif 000004
【図３】
2017120719.tif 000005
【図４】
2017120719.tif 000006
【図５】
2017120719.tif 000007
【図６】
2017120719.tif 000008
【図７】
2017120719.tif 000009
【図８】
2017120719.tif 000010
【図９】
2017120719.tif 000011
【図１０】
2017120719.tif 000012
【図１１】
2017120719.tif 000013
【図１２】
2017120719.tif 000014
【図１３】
2017120719.tif 000015
【図１４】
2017120719.tif 000016
【図１５】
2017120719.tif 000017
【図１６】
2017120719.tif 000018
【図１７】
2017120719.tif 000019
【図１８】
2017120719.tif 000020
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
挿入口を介して挿入されるメモリカードを収容して前記メモリカードの電極に接続する端子を備えるハウジングと、
前記挿入口を開口させて前記ハウジングを上方から覆うシールドカバーと、
前記ハウジング内に前記メモリカードの挿入方向でスライド移動自在に配設され、前記メモリカードとともに移動するスライダーと、
前記スライダーを前記挿入方向とは逆向きの抜脱方向へ付勢する付勢部材と、
前記ハウジング及びスライダーのいずれか一方に形成されたハートカムと、
前記ハートカムの周囲に配置されるループ状のハートカム溝部と、
一端に前記ハートカム溝部に摺動自在に挿入された摺動端部を有し、他端に前記ハウジング及びスライダーのいずれか他方に回動可能に設けられるロックピンと、
前記シールドカバーの一部を下方に折り曲げて形成され、前記ロックピンを前記ハートカム溝部に摺動可能に押圧する押圧部材と、
を有し、
前記ハートカムは、前記挿入方向或いは前記抜脱方向の一方の端部に前記摺動端部が掛合する掛合凹部を有し、
挿入される前記メモリカードにより押圧されて移動する前記スライダーの移動に伴い、前記摺動端部が前記掛合凹部に掛合する位置に移動して、前記スライダーが、前記付勢部材の付勢力に抗して前記メモリカードの装着状態を保持するロック位置で保持され、再度の前記メモリカードの挿入方向へ移動により前記摺動端部が前記掛合凹部から離脱して前記スライダーが前記挿入口側に移動してロック解除位置に位置するメモリカードコネクタであって、
前記シールドカバーは、前記ロックピンのロック位置に対向する位置で、前記ロック位置に向かって突出して形成され、ロック位置に位置する前記摺動端部の上方への移動を規制する規制部を有する、
ことを特徴とするメモリカードコネクタ。
【請求項２】
前記規制部において前記ロック位置側の面は、湾曲面である、
請求項１記載のメモリカードコネクタ。
【請求項３】
前記規制部は、弾性変形可能な弾性材で形成される、
請求項１または２に記載のメモリカードコネクタ。
【請求項４】
前記規制部は、前記シールドカバーから互いに向かい合う方向で、且つ、前記ロック位置側に突出する一対のアーム部と、当該アーム部の双方に接続された凸部とを有する、
請求項１から３のいずれか一項に記載のメモリカードコネクタ。
【請求項５】
前記規制部は、前記シールドカバーから前記ロック位置側に突出するアーム部と、アーム部に設けられた凸部とを有する、
請求項１から３のいずれか一項に記載のメモリカードコネクタ。
【請求項６】
前記規制部は、前記シールドカバーの前記ロック位置側の面を、当該ロック位置側に突出するように凸状に窪ませてなる凸状体である、
請求項１から３のいずれか一項に記載のメモリカードコネクタ。
【手続補正２】
【補正対象書類名】明細書
【補正対象項目名】００１４
【補正方法】変更
【補正の内容】
【００１４】
本発明のメモリカードコネクタの一つの態様は、挿入口を介して挿入されるメモリカードを収容して前記メモリカードの電極に接続する端子を備えるハウジングと、前記挿入口を開口させて前記ハウジングを上方から覆うシールドカバーと、前記ハウジング内に前記メモリカードの挿入方向でスライド移動自在に配設され、前記メモリカードとともに移動するスライダーと、前記スライダーを前記挿入方向とは逆向きの抜脱方向へ付勢する付勢部材と、前記ハウジング及びスライダーのいずれか一方に形成されたハートカムと、前記ハートカムの周囲に配置されるループ状のハートカム溝部と、一端に前記ハートカム溝部に摺動自在に挿入された摺動端部を有し、他端に前記ハウジング及びスライダーのいずれか他方に回動可能に設けられるロックピンと、前記シールドカバーの一部を下方に折り曲げて形成され、前記ロックピンを前記ハートカム溝部に摺動可能に押圧する押圧部材と、を有し、前記ハートカムは、前記挿入方向或いは前記抜脱方向の一方の端部に前記摺動端部が掛合する掛合凹部を有し、挿入される前記メモリカードにより押圧されて移動する前記スライダーの移動に伴い、前記摺動端部が前記掛合凹部に掛合する位置に移動して、前記スライダーが、前記付勢部材の付勢力に抗して前記メモリカードの装着状態を保持するロック位置で保持され、再度の前記メモリカードの挿入方向へ移動により前記摺動端部が前記掛合凹部から離脱して前記スライダーが前記挿入口側に移動してロック解除位置に位置するメモリカードコネクタであって、前記シールドカバーは、前記ロックピンのロック位置に対向する位置で、前記ロック位置に向かって突出して形成され、ロック位置に位置する前記摺動端部の上方への移動を規制する規制部を有する構成を採る。